(57)【要約】【課題】スケッチ板をバッグ上に所定の傾きで安定支持させ、スケッチを長時間に亘って疲労なく実施可能にする。【解決手段】バッグ本体１内に設置されたフレーム２と、フレーム２に取り付けられて、バッグ本体１外の上方へ取り出し可能なスケッチ板３と、を備え、スケッチ板３の取り出し操作に続いて、スケッチ板３をフレーム２に対し水平または所定の傾きに保持可能な構成である。【選択図】図１
2008212602.tif 000002
【特許請求の範囲】
【請求項１】
バッグ本体内に設置されたフレームと、
前記バッグ本体外へ取り出し可能に当該バッグ本体内に収納され、該バッグ本体外に取り出された状態において前記フレームに対し係合支持可能なスケッチ板と、を備え、
前記スケッチ板の前記フレームに対する係合支持が、水平または所定の傾きにてなされることを特徴とするスケッチ用バッグ。
【請求項２】
前記フレームにはステーの一端部が回動可能に枢支され、該ステーの他端部が前記スケッチ板を支持する支持部材の係止切欠に係止および係止解除可能であることを特徴とする請求項１に記載のスケッチ用バッグ。
【請求項３】
前記スケッチ板の一端には、該スケッチ板上に載置されるスケッチ帳または用紙の下端を支持するストッパ部材が連設されていることを特徴とする請求項１に記載のスケッチ用バッグ。
【請求項４】
前記スケッチ板の他端には、前記フレーム上端の水平部に嵌合可能なフック部材が取り付けられていることを特徴とする請求項１に記載のスケッチ用バッグ。
【請求項５】
前記スケッチ板の他端には、該スケッチ板に対し摺動自在に取り付けられて、該スケッチ板上に載置されたスケッチ帳の上部を保持するスケッチ帳保持部材が設けられていることを特徴とする請求項１に記載のスケッチ用バッグ。
【請求項６】
前記支持部材のうち、少なくとも前記係止切欠が設けられる部分がスケッチ板の下面に沿うように折り畳み可能であることを特徴とする請求項１に記載のスケッチ用バッグ。
【発明の詳細な説明】
【技術分野】
【０００１】  本発明は、野外スケッチ等において使用するスケッチ板等のスケッチ用具を収納して持ち運ぶためのスケッチ用バッグに関する。
【背景技術】
【０００２】  従来から、旅行やハイキング、あるいは登山等には、両手を荷物の運搬以外の目的に使用できるように、背負い形式のリュックサックが広く使用されている（例えば、特許文献１参照）。このリュックサックにあっては、これを背中に背負うことによって、収納物が重量であっても比較的長時間に亘る運搬が可能である。【０００３】  また、このリュックサックには、バックパネル面を平らに整形するために、アルミパイプなどからなるフレームを収納したものがある。これにより、リュックサックが背負い易くなりリュックサック全体の保形性を保つことができる。【０００４】  一方、屋外や旅先で風景をスケッチしようとする場合には、用紙やスケッチ帳の他に、絵の具、絵筆、パレット、筆洗い器、スポンジ等のスケッチ用具を用意し、これらのスケッチ用具をリュックサックに整理整頓して収納し、このリュックサックを背負って持ち運んでいる。
そして、旅先では、リュックサック内に収納された前記スケッチ用具を取り出し、スケッチ帳をリュックサックや膝の上に載せて、風景のスケッチを行っている。
【特許文献１】特開２００２−１９１４３３号公報
【発明の開示】
【発明が解決しようとする課題】
【０００５】  しかしながら、スケッチを行うときに、人の膝や容積が縮小したリュックサックの上にスケッチ帳等を平らにかつ安定に支持することが難しく、また描画姿勢が屈み込むようになるために疲労を招き、落ち着いて長時間のスケッチを行い難いなどの不都合があった。【０００６】  本発明は、前記のような従来の不都合を解消するためになされたものであり、バッグ内に収納されたスケッチ板をバッグ上方に所定の傾きで安定支持させることにより、スケッチを長時間に亘って疲労なく実施することができるスケッチ用バッグを得ることを目的とする。
【課題を解決するための手段】
【０００７】  前記目的達成のために、本発明にかかるスケッチ用バッグは、バッグ本体内に設置されたフレームと、該フレームに取り付けられて、前記バッグ本体の外へ取り出し可能なスケッチ板と、を備え、該スケッチ板の取り出し操作に続いて、該スケッチ板を前記フレームに対し水平または所定の傾きに保持可能にしたことを特徴とする。【０００８】  この構成により、バッグ本体内に折り畳まれてまたはフレームに対し分離されて収納されたスケッチ板を、バッグ本体上方へ引き上げるように取り出すことで、バッグ本体上にスケッチ板をスケッチに適する高さおよび傾きに保持することができる。これにより、スケッチ板上に用紙やスケッチ帳を平らにかつ安定に支持させて、快適に長時間のスケッチを継続することができる。【０００９】  また、本発明にかかるスケッチ用バッグは、前記フレームにステーの一端部が回動可能に枢支され、該ステーの他端部が前記スケッチ板を支持する支持部材の係止切欠に係止保持されることを特徴とする。【００１０】  この構成により、バッグ本体内に設置されたフレームに対しスケッチ板を引き上げるように取り出し、そのフレームに一端が枢支されたステーを回動させ、このステーの他端部を前記支持部材のいずれかの係止切欠に係止させることで、スケッチ板をバッグ上方の所定高さ位置に所定の傾きで支持することができる。これにより、スケッチ時における姿勢を適正化でき、疲労を最小限に抑えることができる。【００１１】  また、本発明にかかるスケッチ用バッグは、前記スケッチ板の一端に、該スケッチ板上に載置されるスケッチ帳または用紙の下端を支持するストッパ部材が連設されていることを特徴とする。
この構成により、用紙やスケッチ帳が傾斜したスケッチ板上で位置ずれしたり、スケッチ板上から落下したりするのを抑えることができる。【００１２】  また、本発明にかかるスケッチ用バッグは、前記スケッチ板の他端に、前記フレーム上端の水平部に嵌合可能なフック部材が取り付けられていることを特徴とする。
この構成により、スケッチ板がバッグ本体上の所定位置から移動しないように安定保持することができる。【００１３】  また、本発明にかかるスケッチ用バッグは、前記スケッチ板の他端に、該スケッチ板に対し摺動自在に取り付けられて、該スケッチ板上に載置されたスケッチ帳の上部を保持するスケッチ帳保持部材が設けられていることを特徴とする。
この構成により、スケッチ帳保持部材がスケッチ帳をスケッチ板上に安定的に保持でき、風を受けるなどして用紙が捲れるのを未然に回避することができる。
【発明の効果】
【００１４】  本発明によれば、バッグ内に収納されたスケッチ板をバッグ外の上方に所定の傾きで安定支持させることができ、スケッチ作業を長時間に亘って疲労なく実施することができるという効果が得られる。
【発明を実施するための最良の形態】
【００１５】  以下に、本発明の実施形態を、図面を参照しながら説明する。
図１は、本発明の実施形態によるスケッチ用バッグの開蓋時における斜視図、図２は、前記スケッチ用バッグにおけるフレームとスケッチ板の分解斜視図、図３は、スケッチ用バッグの前記フレームに対するスケッチ板の支持構造図、図１に示すフレームにスケッチ板を組み付けた状態の斜視図、図４は、スイッチ板の袋部からの取り出し手順を示す説明図、図５は、スケッチ板の使用状況を斜め下方から見た状態の斜視図、図６は、スケッチ板の使用状態におけるスケッチ用バッグの全体斜視図、図７は、フレームおよびスケッチ板の他の形態を示す斜視図、図８は、スケッチ板の他の支持構造を斜め下方から見た状態の斜視図、図９は、スケッチ板の他の支持構造の斜視図、図１０は、フック部材の他の形態を斜め下方から見た状態の斜視図、図１１は、フック部材の他の形態を斜め下方から見た状態の斜視図、図１２は、フレームの他の形態の斜視図である。【００１６】  本発明の実施形態によるスケッチ用バッグは、バッグ本体１と、このバッグ本体１内に設置されたフレーム２と、このフレーム２に支持されたスケッチ板３と、から構成されている。
これらのうち、バッグ本体１は合成繊維等の織布などにより略箱形に形成された袋部１ａと、この袋部１ａの上端開口部を被う蓋１ｂとから構成されている。【００１７】  袋部１ａおよび蓋部１ｂの各開口部には、互いにチャック４ａの走行操作によって連結および開離される雄ファスナ４ｂおよび雌ファスナ４ｃが取り付けられている。また、このバッグ本体１の背面側には、長さ調節自在のショルダーベルト５が取り付けられている。【００１８】  一方、バッグ本体１内には、このバッグ本体１の背当て部１ｃと底部１ｄとに亘って連続する、全体としてリング状をなし、側方から見てＬ字状をなすフレーム２が設置されている。このフレーム２は、バッグ本体１の保形維持を図るとともに、これを自立可能にしている。【００１９】  前記フレーム２はアルミ合金などの金属製のパイプや棒などからなり、軽量ではあるが、容易に変形したり折れ曲がったりすることがない強度を持つ。なお、このフレーム２は、バッグ本体１内に常時は適当な保持手段により固定され、バッグ本体１の洗濯時などには、前記固定を解除することにより、容易にバッグ本体１外へ取り出し可能になっている。【００２０】  前記フレーム２の対向する一対の垂直部２ａ上部には、図２〜図５に示すように、水平方向に支持孔７がそれぞれ穿設されており、これらの支持孔７に全体としてコ字状に屈曲した形状のステー８の両端部８ｂが、回動可能に枢支されている。なお、ステー８の両端部８ｂは互いに向き合う方向にＬ字状に屈曲されている。このため、ステー８はフレーム２前方の上下１８０°の角度領域内で回動可能になっている。フレーム２下部の水平部２ｂは、垂直部２ａをバッグ本体１内において垂直方向に安定的に起立保持している。【００２１】  一方、スケッチ板３は、例えば木製や合成樹脂製の厚板からなり、表面が円滑処理されている。このスケッチ板３は、バッグ本体１内に収納可能な四角形の所定サイズを有し、下面の両端部に一対の支持部材９が対称配置され、それぞれネジ等の止め具により固定されている。【００２２】  これらの支持部材９は、図上では、長方形の金属板を直角に折曲したものからなり、つまり断面がＬ字状をなし、各支持部材９に複数の（ここでは、２個ずつ）の係止切欠１０が形成されている。これらの係止切欠１０は、ステー８の水平部８ａを係止保持するように機能し、その係止切欠１０を選択することで、後述のようにスケッチ板３の傾きを任意に選択できるようになっている。【００２３】  また、スケッチ板３下面の両端部であって、前記支持部材９の設置部位を除く領域の前後には、所定間隔をおいて一対のガイドレール１１が止め具を用いて固定されている。これらのガイドレール１１には、スケッチ作業の領域を拡張するためのスライド補助板１２が摺動自在に支持されている。【００２４】  さらに、スケッチ板３は、一端にＬ字状断面を持つストッパ部材１３がネジなどの止め具により取り付けられ、他端に一対のＵ字状のフック部材１４が止め具により取り付けられている。これらのうち、ストッパ部材１３は、スケッチ板３上に載置されるスケッチ帳などがスケッチ板３の下方へ食み出したり、滑って位置ずれしたりしないように、上部がスケッチ板３の上面より僅か上方に突出している。なお、この突出量は、スケッチ帳へのスケッチの邪魔にならない大きさとし、かつ幅寸法も短めであることが望ましい。【００２５】  一方、各フック部材１４は、フレーム２上部の水平部２ｃに対するスケッチ板３の安定支持のために、スケッチ板３の左右にそれぞれ対称配置されている。
さらに、スケッチ板３の上端部中央には、凹溝１５ａを持ったガイド部材１５がネジなどの止め具により固定されている。このガイド部材１５の凹溝１５ａには、先端に角形のフック部１６ａを有するスケッチ帳保持部材１６が摺動操作可能に挿通されている。【００２６】  ガイド部材１５の中央部には、ネジ孔１９が設けられ、このネジ孔１９に蝶ネジ２０がねじ込まれている。この蝶ネジ２０のねじ込み操作によって、前記凹所１５ａ内を摺動するスケッチ帳保持部材１６を、これの背面からスケッチ板３の裏面側に押し付けるようにして、位置を保持可能にしている。【００２７】  なお、スライド板１２には、筆洗い用容器２２や飲料水用コップなどを支承する容器支持孔２２が設けられている。また、スケッチ板３の上面には、図５に示すように、スケッチ帳２３が支承可能になっている。【００２８】  前記構成になるスケッチ用バッグは、以上のように構成されており、以下に、このスケッチ用バッグの使用方法を説明する。このスケッチ用バッグは、スケッチ板３の収納状態においては、雄ファスナ４ｂと雌ファスナ４ｃとがチャック４ａによって連結され、バッグ本体１の袋部１ａに対して蓋部１ｂが被せられ、かつ閉じられた状態になっている。【００２９】  次に、このバック本体１内からスケッチ板３を引き上げて使用する場合には、チャック４ａを前記とは逆に操作して、雄ファスナ４ｂと雌ファスナ４ｃとを分離し、袋部１ｂを図１に示すように開放する。袋部１ｂ内には、フレーム２の水平部２ｃに対してスケッチ板３のフック部材１４が嵌合された状態で収納されており、スケッチ板３はフレーム２の垂直部に沿うように折り畳まれている。【００３０】  フレーム２は、下部にある水平部２ｂが袋部１ａ内の底部にあって、袋部１ａ内で図１に示すように自立している。なお、前記のように、フック部材１４は、袋部１ｂ内にあるとき、フレーム２の水平部２ｃに対し必ずしも嵌合させる必要はなく、互いに分離させた状態で、フレーム２の垂直部に別々に並ぶように垂直に設置されていてもよい。
このとき、支持孔７に枢支されたステー８の水平部８ａは、支持部材９の前後いずれの係止切欠１０にも係止されていない。【００３１】  次に、図１に示す状態にあるスケッチ板３を、図４中のＡ位置から上方に向かってＢ位置へ取り出す（引き上げる）。なお、フック部材１４がフレーム２の水平部２ｃに嵌合されている場合には、この嵌合を解除した上で、前記引き上げを行う。【００３２】  この引き上げ操作によって、スケッチ板３が袋部１ａの開口から上へ引き上げられ、その後、スケッチ板３を徐々に寝かすようにして、図４中のＣ位置へ案内する。そして、このＣ位置の状態にあるスケッチ板３のフック部材１４を、フレーム２の水平部２ｃに嵌合し、さらにスケッチ板３を略水平状態となる位置に手で保持する。【００３３】  そこで、フレーム２の垂直部２ａに両端８ｂが支持されたステー８の水平部８ａを、スケッチ板３下部の各支持部材９に形成された係止切欠１０のいずれか一組に係止させる。これにより、スケッチ板３はこのステー８を介してフレーム２に対し水平支持され、このスケッチ板３上にスケッチ帳２３などを載せてスケッチを行うことができる。【００３４】  なお、係止切欠１０は各指示部材に複数組（本実施形態では、２組）設けられるので、これらのいずれかの組の係止切欠１０を選んでステー８の水平部８ａを係止することで、スケッチ板３の傾きを、スケッチに適する姿勢に合わせることができ、疲労を最小限に抑えることができる。【００３５】  このようにして、スケッチ板３をフレーム２に対し略水平または適当な角度傾けて前記のようにステー８に支持させた後は、スケッチ板３下面に収納されているスライド板１２を、図３または図５に示すように、ガイドレール１１に沿って例えば右方へ引き出し、スイッチ作業の領域を拡張する。そして、このスライド板１２の容器支持孔２２に筆洗い容器２１を底部分から挿入して支持させる。また、別途袋部１ａ内に収納された種々のスケッチ用具を袋部１ａ内から取り出す。【００３６】  そして、袋部１ａ内から取り出したスケッチ帳（絵手紙帳、絵手紙用紙等を含む）２３をスケッチ板３の上に、図３および図５に示すように載置する。このとき、スケッチ帳２３の下縁部をストッパ部材１３の上面に当接することで、スケッチ帳２３がスケッチ板３上から滑って手前に落下するのを防止することができる。【００３７】  次に、前記蝶ネジ２０のネジ孔１９へのねじ込みを緩めて、スケッチ帳保持部材１６をガイド部材１５の凹部１５ａに沿って前後方向に移動させ、そのスケッチ帳保持部材１６端のフック部１６ａによりスケッチ帳２３の上部を挟むように保持させた後、再び蝶ネジ２０を締め付ける。これにより、スケッチ帳２３がスケッチ板３上において後方へ位置ずれしなくなり、外的干渉により袋部１ａが揺れたり、風を受けたりした場合に、スケッチ帳の用紙が捲れたり位置ずれしたりすることがなく、安心してスケッチを継続することができる。【００３８】  従って、このようなスケッチ用バッグを用いれば、スケッチ用具の旅先への運搬や携帯が容易になり、スケッチ開始までの作業を簡素化できる。また、安定したスケッチ姿勢で、長時間に亘るスケッチを疲労なく実施することができる。【００３��】  図７は、バッグ本体１内に設置されるフレームおよびこのフレームに支持されるスケッチ板３の他の実施形態を示す。ここでは、フレーム２Ｐが、図１〜図５に示した前記フレーム２と同様の上部の水平部２ｃに対し並列にコ字状の水平部２ｄを連設した形態をなす。この水平部２ｃ、２ｄは同一高さとなっている。【００４０】  また、スケッチ板３Ｐには、裏面の前後２箇所にそれぞれ一定間隔をおいて一方に開放するクリップ部材２４および上方に開放するホルダ部材２５が取り付けられている。クリップ部材２４およびホルダ部材２５の間隔は、前記水平部２ｃ、２ｄの間隔に等しい。【００４１】  そして、クリップ部材２４をこれの開放部側からフレーム２Ｐの前記水平部２ｃに差し入れて嵌合するとともに、ホルダ部材２５をこれの開放部側から水平部２ｄに差し入れるようにして嵌合させる。これにより、スケッチ板３Ｐはフレーム２Ｐ上に簡単に、しかも揺動することなく確実に固定することができる。【００４２】  なお、前記水平部２ｃ、２ｄはフレーム２Ｐの垂直部２ａに一体形成するほか、別部材を用いてネジ等の締結具を用いて連結するようにしてもよく、前記と同様の作用、効果が得られる。なお、別部材で水平部２ｄを形成する場合には、この水平部２ｄと垂直部２ａとの間に水平部２ｄを支持する補強用のステー（図示省略）を介在することが望ましい。このステーの取り付けにはネジ止めなど、周知の手段を採用することができる。【００４３】  また、前記実施形態では、支持部材９をスケッチ板３の裏面に固定したものについて述ベたが、図８および図９に示すように、それぞれ回動型およびガイドレール型として、スケッチ板３の裏面に固定してもよい。図８の支持部材９Ａは、一部９ａが支軸２６を中心として回動する蝶番構造をなす。従って、その一部９ａを、支軸２６を中心に他端部９ｂに対してＬ字状に立ち上げるように回動したとき、係止切欠１０に対するステー８の前記係止が可能になる。また、その一部９ａをスケッチ板３の下面に沿うように、鎖線で示すように倒したときは、スケッチ板３の袋部１ａ内への収納の邪魔になることを回避できる。【００４４】  また、図９の支持部材９Ｂは、これの長手方向に形成された長孔２９の途中に、複数の係止切欠１０を連設したものである。これによれば、ステー８の水平部８ａは常にその長孔２９内のいずれかの位置にあり、スケッチ板３を使用するときに、その長孔２９内に水平部８ａを案内することで、水平部８ａをいずれかの係止切欠１０に係止させることができる。この場合にも、前記同様に、スケッチ板３をフレーム２に対し所定の傾きで安定的に支持させることができる。【００４５】  また、図１０および図１１は、前記フック部材１４の他の形態を示す。図１０に示すフック部材１４Ａは、一部１４ａの前方向（横方向）に向かって開放する切欠１４ｃを持つとともに、その一部１４ａが他部１４ｂに対し、支軸３０を中心に立ち上がるように回動可能な蝶番構造をなす。この構成では、フレーム２の水平部２ｃに対する係止時には、スケッチ板３を前方（矢印Ｒ方向）に引き込むなどの操作が必要である。
この場合にも、その一部１４ａをスケッチ板３の下面に沿うように、鎖線で示すように倒したときは、スケッチ板３の袋部１ａ内への収納の邪魔になることがない。【００４６】  図１１のフック部材１４Ｂは、図１０に示した前記板状の一部１４ａに代えて、鋼棒などからなるフック棒２７を用いたものである。このフック棒２７のフック部２７ａに連続する直線部２７ｂは、他部１４ｂに形成された巻き筒部２８内に回動自在に支持された構造である。フック部２７ａに対しては、スケッチ板３の前記同様の引き込み操作によって、前記フレーム２の水平部２ｃへの係止が可能になっている。
この場合にも、そのフック部２７ａをスケッチ板３の下面に沿うように倒したときは、スケッチ板３の袋部１ａ内への収納の邪魔になることがない。【００４７】  図１２は、前記フレームの他の形態を示す斜視図である。この形態によるフレーム２は、垂直部２ａが、下方垂直部２ａ１と、この下方垂直部２ａ１の筒状部内に両端が摺動自在に挿入された、前記水平部２ｃを持つコ字状部２ａ２と、に分割されている。そして、このコ字状部２ａ２の両端は下方垂直部２ａ１の筒状部内の所定位置に保持可能になっている。この保持は、単純な摩擦力によるほか、周知のネジ止めなどによりなされる。これにより、椅子の高さに応じて、下方垂直部２ａ１に対してコ字状部２ａ２を昇降（引き上げおよび押し下げ）することができ、従ってスケッチ板３の高さをスケッチ姿勢に適する高さに調節することができる。【００４８】  このように、本実施形態では、バッグ本体１内にフレーム２を設置し、フレーム２に前記バッグ本体の外へ取り出し可能なスケッチ板３を取り付け自在にし、スケッチ板３の取り出し操作に続いて、該スケッチ板３をフレーム２に対し水平または所定の傾きに保持可能にしたことにより、バッグ本体１外の上方へ引き上げたバッグ本体１上に、スケッチ板３をスケッチに適する高さおよび傾きに保持することができる。これにより、スケッチ板３上に用紙やスケッチ帳３を安定支持させて、快適に長時間のスケッチを続けることができる。
【産業上の利用可能性】
【００４９】  本発明のスケッチ用バッグは、バッグ内に収納されたスケッチ板をバッグ上に所定の傾きで安定支持させることにより、スケッチを長時間に亘って疲労なく実施することができるという効果を有し、野外スケッチ等において使用するスケッチ用具、主にスケッチ板を収納するスケッチ用バッグ等として有用である。
【図面の簡単な説明】
【００５０】
【図１】  本発明の実施形態によるスケッチ用バッグの開蓋状態を示す斜視図である。
【図２】  図１におけるバッグ本体内のスケッチ板を分解して示す斜視図である。
【図３】  図１に示すフレームにスケッチ板を組み付けた状態の斜視図である。
【図４】  図３に示すスケッチ板の組み付け手順を示す説明図である。
【図５】  図３における示すフレームおよびスケッチ板を、斜め下方から見た状態の斜視図である。
【図６】  本発明の実施形態によるスケッチ用バッグの使用例を示す斜視図である。
【図７】  本発明の実施形態におけるフレームおよびスケッチ板の他の例を示す説明図である。
【図８】  本発明の実施形態における支持部材の他の例を示す斜視図である。
【図９】  本発明の実施形態におけるフック部材の他の例を示す斜視図である。
【図１０】  本発明の実施形態におけるフック部材の他の例を示す斜視図である。
【図１１】  本発明の実施形態における支持部材の他の例を示す斜視図である。
【図１２】  本発明の実施形態におけるフレームの他の例を示す斜視図である。
【符号の説明】
【００５１】  １  バッグ本体
２  フレーム
２ｃ  水平部
３  スケッチ板
８  ステー
９、９Ａ、９Ｂ  支持部材
１０  係止切欠
１３  ストッパ部材
１４、１４Ａ、１４Ｂ  フック部材
１６  スケッチ帳保持部材
【図１】
2008212602.tif 000003
【図２】
2008212602.tif 000004
【図３】
2008212602.tif 000005
【図４】
2008212602.tif 000006
【図５】
2008212602.tif 000007
【図６】
2008212602.tif 000008
【図７】
2008212602.tif 000009
【図８】
2008212602.tif 000010
【図９】
2008212602.tif 000011
【図１０】
2008212602.tif 000012
【図１１】
2008212602.tif 000013
【図１２】
2008212602.tif 000014